(57)【特許請求の範囲】
【請求項１】
原水を供給する水栓に取り付けた切替弁により原水を所定の吐水口や水路に切り替える切替ユニットと、上記切替ユニットとは別体で原水の水処理を行う処理ユニットと、切替ユニットの切替弁で切替えられた原水を処理ユニットに供給すると共に処理ユニットで処理された処理水を切替ユニットに送水する接続ホースとを有し、処理ユニットを内装するハウジングの下面に上記接続ホースの一端が接続され、上記接続ホースの他端が切替ユニットに接続された水処理装置であって、上記処理ユニットを内装する上記ハウジングを壁面に取り付けるための取付具を備え、該取付具は、壁面に固定されるプレート部と、このプレート部の上端から前方に突設されて上記ハウジングの側面部分を上記接続ホースを接続したままの状態で斜め下方から抜き差し自在に保持すると共に上記ハウジングの前後左右のぐらつきを防止する平面視四角枠状に形成された側面保持枠と、上記プレート部の下端の左右両端部からそれぞれ前方に突設されて上記ハウジングの下面における上記接続ホースとの接続部分よりも後方の下面後端縁部分の左右両端部に設けられた凹所に引っ掛けられる側面視略Ｕ字形状の引掛部とを備えると共に、上記ハウジングの側面部分を上記接続ホースを接続したままの状態で斜め下方から上記側面保持枠内に抜き差しできるように上記引掛部の前方への突出寸法を上記側面保持枠の前方への突出寸法よりも短く且つ上記接続ホースとの接続部分よりも後方側としたことを特徴とする水処理装置。
【発明の詳細な説明】
【技術分野】
【０００１】
本発明は、水処理装置に関し、詳しくは処理ユニットを内装するハウジングの下面に接続ホースが接続された状態でハウジングを壁面に取り付ける取付構造に関するものである。
【背景技術】
【０００２】
従来から、水処理装置１には、図７や図８のように、原水を供給する水栓６に取り付けされて内装した切替弁７により原水を所定の吐水口や水路に切り替える切替ユニット２と、上記切替ユニット２とは別体で原水の水処理を行う処理ユニット３とを有して構成されたものが知られている（例えば、特許文献１参照）。ここで、図７の水処理装置１は、水栓６からの原水が切替ユニット２及び給水管４を経て処理ユニット３に至り、処理ユニット３で生成した処理水が処理ユニット３に設けた処理水吐水口２９から吐水されるようになっている。一方、図８の水処理装置１は、水栓６からの原水が切替ユニット２から給水管４を経て処理ユニット３に至り、処理ユニット３で生成した処理水が送水管５を介して切替ユニット２に戻されて切替ユニット２に設けた処理水吐水口２９から吐水されるようになっている。
【０００３】
ところで、上記のような切替ユニット２と処理ユニット３とが別体にされた水処理装置１では、水栓６に切替ユニット２を取り付け、処理ユニット３を内装したハウジング３９をシンク近傍のカウンターコーナー部に設置している。しかも従来は、ハウジング３９を据え置きしているにすぎないため、ハウジング３９の操作部を操作する際にハウジング３９が動きやすく、特にハウジング３９の下面から給水管４及び送水管５等を構成する接続ホースを引き込んでいるため、ハウジング３９の下面３９ｃの安定性が接続ホースによって損なわれるという問題がある。さらに電解槽に配線される電気コード（図示せず）や操作部、表示部等が水で濡れ易いために特別な防水構造とする必要がある。そのうえシンク近傍のカウンターコーナー部にハウジング３９の設置スペースを確保する必要があるため、シンク近傍のカウンターコーナー部のスペースがハウジング３９で占拠されてしまうといった問題もある。
【０００４】
そこで他の従来例として、上記処理ユニット３を内装するハウジング３９を壁に係止させるものが提案されている。その一例として、台所の壁面にフックを取り付け、ハウジング３９の裏面に係止孔（例えば、だるま穴）を穿設し、係止孔をフックに引っ掛けることで、ハウジング３９を壁に係止させるものである。
【０００５】
ところがこのような係止構造では、係止孔がハウジング３９の裏面に配置されるため、ハウジング３９をフックに係止する際にハウジング３９裏面の係止孔とフックとの位置合わせがしにくく、取り付けがしにくいものである。しかも、ハウジング３９の裏面から浄水カートリッジ等の取り替え等を行なうのが一般的であるため、処理ユニット３のメンテナンスのたびにハウジング３９の面倒な取り外し、取り付けをしなければならず、使い勝手が悪いものであった。
【特許文献１】特開２００１−２５２６４７号公報
【発明の開示】
【発明が解決しようとする課題】
【０００６】
本発明は上記の従来の問題点に鑑みて発明したものであって、処理ユニットを内装するハウジングの下面に接続ホースが接続された状態で、該ハウジングを壁面に固定される取付具に対して下方から取り付け可能となり、取り付けの安定性及び操作性の向上を図ることができ、さらに処理ユニットの各部品のメンテナンスや交換等の作業も容易にでき、使い勝手に優れた水処理装置を提供することを課題とするものである。
【課題を解決するための手段】
【０００７】
前記課題を解決するために本発明は、原水を供給する水栓６に取り付けた切替弁７により原水を所定の吐水口や水路に切り替える切替ユニット２と、上記切替ユニット２とは別体で原水の水処理を行う処理ユニット３と、切替ユニット２の切替弁７で切替えられた原水を処理ユニット３に供給すると共に処理ユニット３で処理された処理水を切替ユニット２に送水する接続ホース９とを有し、処理ユニット３を内装するハウジング３９の下面３９ｃに上記接続ホース９の一端が接続され、上記接続ホース９の他端が切替ユニット２に接続された水処理装置において、上記処理ユニット３を内装する上記ハウジング３９を壁面１０に取り付けるための取付具８を備え、該取付具８は、壁面１０に固定されるプレート部１１と、このプレート部１１の上端から前方に突設されて上記ハウジング３９の側面部分３９ｄを上記接続ホース９を接続したままの状態で斜め下方Ｎから抜き差し自在に保持すると共に上記ハウジング３９の前後左右のぐらつきを防止する平面視四角枠状に形成された側面保持枠１２と、上記プレート部１１の下端の左右両端部からそれぞれ前方に突設されて上記ハウジング３９の下面３９ｃにおける上記接続ホース９との接続部分よりも後方Ｐの下面後端縁部分３９ｅの左右両端部に設けられた凹所１５に引っ掛けられる側面視略Ｕ字形状の引掛部１３とを備えると共に、上記ハウジング３９の側面部分３９ｄを上記接続ホース９を接続したままの状態で斜め下方Ｎから上記側面保持枠１２内に抜き差しできるように上記引掛部１３の前方への突出寸法Ｌ２を上記側面保持枠１２の前方への突出寸法Ｌ１よりも短く且つ上記接続ホース９との接続部分よりも後方Ｐ側としたことを特徴としている。
【０００８】
このような構成とすることで、ハウジング３９の下面３９ｃに接続ホース９を接続したままの状態で、接続ホース９が接続される部分よりも上方のハウジング３９の側面部分３９ｄを斜め下方Ｎから平面視四角枠状に形成された側面保持枠１２に差し込むことにより、ハウジング３９の前後左右のぐらつきを防止できるようになり、さらにハウジング３９を垂直姿勢にして接続ホース９が接続される部分よりも後方Ｐのハウジング３９の下面後端縁部分３９ｅの左右両端部に設けられた凹所１５に側面視略Ｕ字形状の引掛部１３に引っ掛けることにより、ハウジング３９全体を下方から保持できるようになり、これにより、取付具８に対してハウジング３９の安定した取り付け状態が得られる。また処理ユニット３のメンテナンス時には、ハウジング３９の下面３９ｃに接続ホース９を接続したままの状態で、ハウジング３９の下面後端縁部分３９ｅを引掛部１３から離脱させてからハウジング３９を上記差し込み時と同じ角度に傾けながら側面保持枠１２の斜め下方Ｎに引き抜くことにより、ハウジング３９を取付具８から容易に取り外すことができる。
【発明の効果】
【０００９】
本発明は、ハウジングを傾けながらハウジングの側面部分を斜め下方から側面保持枠内に抜き差しすることにより、ハウジングの下面に接続ホースを接続したままの状態で、取付具の下方からのハウジングの取り付け、取り外しが可能となり、ハウジングの取り付け状態を安定化できると共にハウジングの操作性が良好となり、さらにハウジングに内装された処理ユニットの各部品のメンテナンスや交換等の作業も容易に行なうことができ、使い勝手が良好となる。
【発明を実施するための最良の形態】
【００１０】
以下、本発明を添付図面に示す実施形態に基いて説明する。
【００１１】
本例の水処理装置１は、図６に示すように、原水を供給する水栓６に取り付けされて内装した切替弁７により原水を所定の吐水口や水路に切り替える切替ユニット２と、上記切替ユニット２とは別体で原水の水処理を行う水処理部を備えた処理ユニット３と、切替弁７で切替えられた原水を処理ユニット３に供給するために切替ユニット２と処理ユニット３とを接続した給水管４と、処理ユニット３で処理された処理水を切替ユニット２に送水するために切替ユニット２と処理ユニット３とを接続した送水管５とを有して構成されている。給水管４や送水管５は可撓性を有する接続ホース９で構成されており、切替ユニット２と別体の処理ユニット３を後述する取付具８を用いて台所の壁面１０の任意位置に固定できるようになっている。
【００１２】
切替ユニット２は扁平薄型の外形を有しており、図５に示すように、上面には水栓６が接続する水栓接続口２７が設けられ、底面には原水吐水口２８や処理水吐水口２９（図６）が設けられている。本例では、図５（ｂ）のように切替弁７の操作レバー２６を下向き位置にすると、原水が矢印Ａ→Ｂ方向に流れて原水吐水口２８からストレート状に吐出し、図５（ｃ）のように操作レバー２６を上向き位置にすると、原水が矢印Ａ→Ｃ方向に流れて原水吐水口２８からシャワー状に吐出し、図５（ａ）のように操作レバー２６を中間位置にすると、原水が矢印Ａ→Ｄ→Ｅ→Ｆ→Ｇ→Ｈ→Ｉ→Ｊ方向に流れて、処理水（浄水、アルカリイオン水、酸性イオン水のいずれか１種）となって処理水吐水口２９から吐水するようになっている。なお処理水の選択は、ハウジング３９の操作部５７に設けたイオン水の切替えボタンによって行なうことができる。
【００１３】
一方、上記切替ユニット２とは別体のハウジング３９に内装される処理ユニット３は、図６に示すように、原水を濾過して浄水を得る浄水生成部４０と、水を電気分解することでアルカリ性または酸性の水質を備えたイオン水を得るイオン水生成部４１とを有し、上記給水管４を通って供給された原水に浄水処理や電解処理の施された処理水を生成できるようにしてある。
【００１４】
詳しくは、処理ユニット３のハウジング３９内には、処理ユニット３に接続した給水管４から送水管５に至る内部流路４２を有し、この内部流路４２に上流側から浄水生成部４０、イオン水生成部４１が順に配置されている。ここで、浄水生成部４０は活性炭や中空糸膜などの濾材を備えた浄水カートリッジで構成され、この浄水カートリッジはハウジング３９の後面から取替自在にされている。また、イオン水生成部４１は、電解槽４３の内部に２種の電極４４，４５とこの両者を仕切る電解隔膜２０とを備えて構成されている。つまり、電解槽４３内には電解隔膜２０で仕切られた電極４４側の空間（以下、「主室４６」という）と、電極４５側の空間（以下、「副室４７」という）とが形成されている。電極４４，４５はハウジング３９内に内装された制御部４８を介して給電されるようになっている。なお図６中の６０は制御部４８及び操作部５７が実装されるプリント基板である。
【００１５】
浄水生成部４０の下流の内部流路４２には流量センサ４９が設けられ、流量センサ４９の下流の内部流路４２は２つに分岐されており、一方の分岐流路は電解槽４３の主室４６に至っており、他方の分岐流路は電解質添加筒５２を経て電解槽４３の副室４７に至っている。流量センサ４９は制御部４８に接続されており、制御部４８による電極４４，４５への通電は流量センサ４９から得られる流量の情報に基づいて所定のｐｈ値のイオン水を得るように適切に行われるようになっている。電解質添加筒５２は、電解質を電解槽４３に至る水に供給して電解槽４３での水の電気分解の効率を向上させる役割を担うものであり、カートリッジ式でハウジング３９の後面から取替自在にされている。本例の電解質添加筒５２はカルシウム添加筒で構成されており、電解槽４３での水の電気分解の効率を向上させる役割の他に、イオン水に有用成分を溶解させる役割も担っている。主室４６からは電解槽４３で生成されたイオン水を流す内部流路４２が送水管５に至るように設けられ、副室４７からは電解槽４３でのイオン水（例えば、アルカリイオン水）の生成の際に生じる副次的なイオン水（例えば酸性イオン水）を排出する排出流路５３が設けられている。なお本例では上記一方の分岐流路は電解槽４３の主室４６に至る手前で更に分岐されて一方が電解槽４３の主室４６に至り、他方が絞り部５４を経て排出流路５３に至っている。この絞り部５４は一方及び他方の分岐流路に流れる水量を調節するものであり、具体的には主室４６に至る一方の分岐流路の流量を副室４７に至る他方の分岐流路の流量に比べて少なくする役割を担っている。なお、内部流路４２の入口４２ａ及び出口４２ｂはハウジング３９の下面３９ｃに設けられ、排出流路５３はハウジング３９の下面３９ｃから排出ホース５５を延出させてその出口５３ａをハウジング３９外に設けている。
【００１６】
上記制御部４８はハウジング３９の操作部５７（図６）によって操作可能にされている。ここで、処理ユニット３で生成する処理水をアルカリイオン水とするべく使用者が操作部５７を操作した際には、制御部４８によって、主室４６の電極４４が陰極に、副室４７の電極４５が陽極となるように電解電圧が印加され、内部流路４２にアルカリイオン水が流れ、排出流路５３に酸性イオン水が流れるようになる。一方、処理ユニット３で生成する処理水を酸性イオン水とするべく使用者が操作部５７を操作した際には、制御部４８によって、主室４６の電極４４が陽極に、副室４７の電極４５が陰極となるように電解電圧が印加され、内部流路４２に酸性イオン水が流れ、排出流路５３にアルカリイオン水が流れるようになっている。また、処理ユニット３で生成する処理水をｐｈ値を変化させずにごみ等を除去するのみの浄水とするべく使用者が操作部５７を操作した際には、制御部４８によって、電極４４，４５への電解電圧の印加を行わないようにし、浄水生成部４０で生成した浄水が電解槽４３をそのまま通過して内部流路４２に流れるようになる。ちなみに、アルカリイオン水は主に飲用に使用され、酸性イオン水は例えば殺菌洗浄水として使用される。
【００１７】
切替ユニット２と処理ユニット３とは、給水管４及び送水管５を介して接続される。詳しくは、給水管４は入口が給水管接続口４ａに接続され、その出口が処理ユニット３の内部流路４２の入口４２ａに接続されている。また、送水管５は入口が処理ユニット３の内部流路４２の出口４２ｂに接続され、出口が送水管接続口５ｂに接続されている。本例の給水管４及び送水管５は二又状に離間させた両端部を除いて一体化された可撓性を有した接続ホース９で構成されている。
【００１８】
上記処理ユニット３を内装するハウジング３９は、図４に示すように、前面パネル３９ａと背面パネル３９ｂとが着脱可能に組み立てられている。ハウジング３９の形状は図１の仮想線で示すように、幅寸法や高さ寸法に比べて奥行寸法の短い扁平な箱状で、平面視四角形状に形成されている。なおハウジング３９の前面上部に形成されたＲ部に沿って操作部５７（図４）が設けられ、この操作部５７に浄水とイオン水とのいずれかを切替えるボタン、アルカリイオン水のｐＨレベルを切替えるボタン等を備えた操作パネルや、浄水カートリッジの交換時期等を表示するための表示パネルが設けられている。
【００１９】
上記ハウジング３９は、壁面１０に固定される取付具８に取り付けられる。取付具８は、図３に示すように、側面視略逆Ｌ字状に形成され、壁面１０に固定されるプレート部１１と、プレート部１１の上端から前方に突設されてハウジング３９の側面部分３９ｄを保持するリング状の側面保持枠１２と、プレート部１１の下端から前方に突設されてハウジング３９の下面後端縁部分３９ｅに引っ掛けられる引掛部１３とで構成されている。図１（ａ）の例では、取付具８のプレート部１１の４箇所にだるま穴１４を穿設し、台所の壁面１０の４個所に釘の先端部分を打入し、釘の頭部にだるま穴１４を係止させることで、プレート部１１を壁面１０に対して固定する。プレート部１１の上端部から突設される側面保持枠１２は、ハウジング３９の側面部分３９ｄより一回り大きな平面視四角枠状に形成される。なお側面保持枠１２はプレート部１１の上端部に対して固定されてもよいが、上下に回動できるようにプレート部１１の上端部にヒンジ結合されてもよい。また、プレート部１１の下端部から突設される引掛部１３は側面視略Ｕ字形状とされ、本例ではプレート部１１の下端の左右両端部にそれぞれ設けられていると共に、ハウジング３９の下面後端縁部分３９ｅの左右両端部には引掛部１３が引っ掛けられる凹所１５がそれぞれ設けられている。そして、引掛部１３の前方への突出寸法Ｌ２を側面保持枠１２の前方への突出寸法Ｌ１よりも短くすることで、ハウジング３９の側面部分３９ｄを斜め下方Ｎから側面保持枠１２内に抜き差しできるように構成されている。
【００２０】
次に、ハウジング３９を取付具８に取り付ける際は、図２（ａ）→（ｂ）のようにハウジング３９の下面３９ｃに接続ホース９を接続したままの状態で、側面保持枠１２の斜め下方Ｎからハウジング３９を側面保持枠１２内に差し込み、その後、図２（ｃ）、→（ｄ）のように、ハウジング３９を垂直姿勢にしてハウジング３９の下面後端縁部分３９ｅを引掛部１３に引っ掛ける。このとき、引掛部１３の突出寸法Ｌ２を側面保持枠１２の突出寸法Ｌ１よりも短くしているため、図１のように接続ホース９が接続される部分よりも上方のハウジング３９の側面部分３９ｄを斜め下方Ｎから側面保持枠１２に差し込むことができ、その後、ハウジング３９を垂直にすれば接続ホース９が接続される部分よりも後方Ｐのハウジング３９の下面後端縁部分３９ｅを引掛部１３に引っ掛けることができる。このとき側面保持枠１２によってハウジング３９の前後左右のぐらつきを防止でき、さらに引掛部１３よってハウジング３９全体を下方から支持できるようになり、これにより、取付具８に対してハウジング３９の安定した取り付け状態が得られるので、ハウジング３９の操作部５７を操作する際にハウジング３９が動くことがなく、操作性及び使い勝手が良好となる。またハウジング３９の下面３９ｃには接続ホース９以外に、電解槽４３の電気配線５６（図６）が引き込まれている場合でも、接続ホース９と同様、電気配線５６もハウジング３９の取り付け、取り外しの際に邪魔にならないものである。
【００２１】
一方、処理ユニット３のメンテナンス時には、ハウジング３９の下面３９ｃに接続ホース９を接続したままの状態で、図２（ｄ）→（ｃ）の順でハウジング３９を少し持ち上げてハウジング３９の下面後端縁部分３９ｅを引掛部１３から離脱させてから、図２（ｂ）→（ａ）の順でハウジング３９を上記差し込み時と同じ角度に傾けながら側面保持枠１２の斜め下方Ｎに引き抜くことにより、ハウジング３９を取付具８の下方から取り外すことができる。従って、ハウジング３９に内装した処理ユニット３の各部品のメンテナンスや交換等の作業を容易に行うことができる。
【図面の簡単な説明】
【００２２】
【図１】本発明の一実施形態を示し、（ａ）は水処理装置の処理ユニットを内装するハウジングを取付具を用いて壁面に取り付ける場合を説明する正面図、（ｂ）は平面図、（ｃ）は側面図である。
【図２】（ａ）（ｂ）は同上のハウジングの側面部分を斜め下方から取付具の側面保持枠内に差し込む過程の説明図、（ｃ）（ｄ）はハウジングの下面後端縁部分を取付具の引掛部に引っ掛ける過程の説明図である。
【図３】同上の取付具を示し、（ａ）は正面図、（ｂ）は平面図、（ｃ）は下面図、（ｄ）は側面図である。
【図４】同上のハウジングの内部を説明する分解斜視図である。
【図５】（ａ）は同上の水処理装置の全体斜視図であり、（ｂ），（ｃ）は要部の斜視図である。
【図６】同上の処理ユニットを説明する概略構成図である。
【図７】従来技術の例の水処理装置の全体斜視図である。
【図８】従来技術の他例の水処理装置の全体斜視図である。
【符号の説明】
【００２３】
１  水処理装置
２  切替ユニット
３  処理ユニット
６  水栓
７  切替弁
８  取付具
９  接続ホース
１０  壁面
１１  プレート部
１２  側面保持枠
１３  引掛部
３９  ハウジング
３９ｃ  下面
３９ｄ  側面部分
３９ｅ  下面後端縁部分
Ｌ１  側面保持枠の突出寸法
Ｌ２  引掛部の突出寸法
Ｎ  斜め下方
Ｐ  後方
【図１】
0004613837.tif 000002
【図２】
0004613837.tif 000003
【図３】
0004613837.tif 000004
【図４】
0004613837.tif 000005
【図５】
0004613837.tif 000006
【図６】
0004613837.tif 000007
【図７】
0004613837.tif 000008
【図８】
0004613837.tif 000009